(57)【要約】【課題】アンテナユニットが感知できる距離を延ばし、アンテナユニットにより反対方向からも電子タグを感知することができる携帯型電子装置を提供する。【解決手段】携帯型電子装置１００は、ハンドル穴１３が形成されたハウジング１７を含む本体ユニット１０と、前記ハウジング１７において前記ハンドル穴１３を囲むように設けられているアンテナユニット２０と、からなる。【選択図】図３
2010160776.tif 000002
【特許請求の範囲】
【請求項１】
ハンドル穴が形成されたハウジングを含む本体ユニットと、
前記ハウジングにおいて前記ハンドル穴を囲むように設けられているアンテナユニットと、からなることを特徴とする携帯型電子装置。
【請求項２】
前記ハウジングは、さらにスクリーンを備えたフレーム部と、前記フレーム部から外側に延伸するように形成されているハンドル部とを有する請求項１に記載の携帯型電子装置。
【請求項３】
前記ハンドル部が前記スクリーンの周縁部に隣接して配置されている請求項２に記載の携帯型電子装置。
【請求項４】
前記ハンドル部は、さらに前記ハンドル穴を形成する環状壁を有し、
前記本体ユニットは、さらに前記ハンドル部において前記アンテナユニットと前記環状壁の間に配置されているシールを更に含んでいる請求項２に記載の携帯型電子装置。
【請求項５】
前記ハンドル部が非金属材料でできている請求項２に記載の携帯型電子装置。
【請求項６】
前記ハンドル部がプラスチックでできている請求項２に記載の携帯型電子装置。
【請求項７】
前記アンテナユニットが、前記ハンドル穴を囲むように楕円形穴を有する形に形成されている請求項１に記載の携帯型電子装置。
【請求項８】
前記アンテナユニットがＲＦＩＤ(radio frequency identification)アンテナである請求項１に記載の携帯型電子装置。
【請求項９】
前記アンテナユニットがＰＣＢ(printed circuit board)タイプのＲＦＩＤアンテナである請求項８に記載の携帯型電子装置。
【請求項１０】
前記アンテナユニットがＦＰＣ(flexible printed circuit)タイプのＲＦＩＤアンテナである請求項８に記載の携帯型電子装置。
【請求項１１】
前記アンテナユニットがコイルタイプのＲＦＩＤアンテナである請求項８に記載の携帯型電子装置。
【発明の詳細な説明】
【技術分野】
【０００１】
本発明は、電子装置に関し、特に電子タグを備えた携帯型電子装置に関する。
【背景技術】
【０００２】
図１に示す従来例によると、ＲＦＩＤ(Radio Frequency Identification)アンテナを有する従来のノートパソコンは、本体１と、本体１に備えたスクリーンカバー２と、本体１の端に近い位置に埋めこまれたＲＦＩＤアンテナ３とからなる。そして、ノートパソコンは電子タグ４に格納されている情報を読み込むことができる。
【発明の概要】
【発明が解決しようとする課題】
【０００３】
しかしながら、図１の従来例では、本体１のスペースには限界があるため、ＲＦＩＤアンテナ３のコイルを、あまり長くすることができない。このため、ＲＦＩＤアンテナ３が感知できる距離が短い。また、ＲＦＩＤアンテナ３は設置場所が本体１の金属部品やマザーボードと間近い上方なため、本体１の金属部品やマザーボード側からの情報は遮断されるので、ＲＦＩＤアンテナ３は上方からの情報しか感知することができない。そして、感知できる距離が短くなったことにより、電子タグをＲＦＩＤアンテナ３の近くに持ってこなければならなかった。
【０００４】
図２に示すＲＦＩＤ機能を有する従来の一表示装置は、フレーム５０１を有する機体５と、機体５に備えられたスクリーン６と、スクリーン６に隣接したフレーム５０１に設けられたＲＦＩＤアンテナ７とからなる。表示装置はＲＦＩＤアンテナ７を通じて電子タグ４に格納されている情報を読み込むことができるが、ＲＦＩＤアンテナ７の大きさはフレーム５０１により限られる問題がある。また、機体５の金属部品やマザーボードは、機体５の金属部品やマザーボードが配置されている方向からＲＦＩＤアンテナ７が感知されないように遮断するので、ＲＦＩＤアンテナ７は一方向からしか感知することができない問題もある。
【０００５】
本発明は、上記問題点に鑑みてなされたものであり、従来技術のこれらの問題点を解決する携帯型電子装置を提供することを目的とする。
【課題を解決するための手段】
【０００６】
上記目的を達成すべく、本発明は、ハンドル穴が形成されたハウジングを含む本体ユニットと、前記ハンドル穴を囲むように前記ハウジングに設けられているアンテナユニットと、からなることを特徴とする携帯型電子装置を提供する。
【０００７】
前記携帯型電子装置は、前記ハウジングが、フレーム部と、前記フレーム部から外側に延伸して前記ハンドル穴が形成されたハンドル部とを有し、前記本体ユニットはさらに前記フレーム部に設けられたスクリーンをそなえていることが好ましい。
【０００８】
又、前記携帯型電子装置は、前記ハンドル部が前記スクリーンの上部に配置されていることが好ましい。
【０００９】
又、前記携帯型電子装置は、さらに前記ハンドル部が、前記ハンドル穴を画成する環状壁を有し、前記本体ユニットが、前記アンテナユニットと前記ハンドル部の環状壁の間に前記ハンドル部の環状壁に配置されているシールを更に含んでいてもよい。
【００１０】
又、前記携帯型電子装置は、前記ハンドル部が非金属材料、又はプラスチックでできていてもよい。
【００１１】
又、前記携帯型電子装置は、前記アンテナユニットが、前記ハンドル穴を囲むように楕円形穴を有する形に形成されてもよい。
【００１２】
又、前記携帯型電子装置は、前記アンテナユニットがＲＦＩＤ(radio frequency identification)アンテナであってもよい。
【００１３】
又、前記携帯型電子装置は、前記アンテナユニットがＰＣＢ(printed circuit board)タイプのＲＦＩＤアンテナであってもよい。
【００１４】
又、前記携帯型電子装置は、前記アンテナユニットがＦＰＣ(flexible printed circuit)タイプのＲＦＩＤアンテナであってもよい。
【００１５】
又、前記携帯型電子装置は、前記アンテナユニットがコイルタイプのＲＦＩＤアンテナであってもよい。
【発明の効果】
【００１６】
本発明によれば、アンテナユニットが感知できる距離を延ばし、反対方向からもアンテナユニットにより電子タグを感知することができる。
【図面の簡単な説明】
【００１７】
【図１】従来のＲＦＩＤアンテナを有するノートパソコンの斜視図である。
【図２】従来のＲＦＩＤ機能を有する表示装置の斜視図である。
【図３】本発明による携帯型電子装置の好ましい実施例の正面図である。
【図４】図３を線ＩＶ〜ＩＶに沿って切断した場合の断面図である。
【発明を実施するための形態】
【００１８】
以下、本発明の実施の形態を図面に基づいて説明する。
【００１９】
〔実施例〕
図３は、本発明による携帯型電子装置の好ましい実施例の正面図であり、図４は、図３を線ＩＶ〜ＩＶに沿って切断した場合の断面図である。
【００２０】
この実施例による携帯型電子装置１００は、ハンドル穴１３が形成されたハウジング１７を含む本体ユニット１０と、ハウジング１７においてハンドル穴１３を囲むように設けられているアンテナユニット２０とからなるタブレット型パソコン（tablet personal computer）である。
【００２１】
ハウジング１７は、フレーム部１１とフレーム部１１から外側に延伸してハンドル穴１３が形成されたハンドル部１２とをそなえている。本体ユニット１０は、更にフレーム部１１に設けられたスクリーン１４を含んでいる。ハンドル部１２は、好ましくはスクリーン１４の上部に配置され、ハンドル穴１３を画成する環状壁１２０を有する。
【００２２】
本体ユニット１０は、更に防水および防塵材料からなるシール１５と、フレーム部１１に配された複数のボタン１６を設けている。シール１５は、ハンドル部１２に配置されており、とりわけハンドル穴１３を囲んでアンテナユニット１０と環状壁１２０との間において環状壁１２０に設けられている。
【００２３】
この例においては、アンテナユニット２０は、ハンドル穴１３を囲むように楕円形状穴２２が形成された基板２１と、基板２１の上に設けられた複数のアンテナコイル２３と、フレーム部１１上で電子構成物（図示せず）と電気的に接続する接続ポート２４を含んでいる。
【００２４】
アンテナユニット２０は、ＰＣＢ(printed circuit board)タイプや、ＦＰＣ(flexible printed circuit)タイプや、コイルタイプのＲＦＩＤアンテナであってもよく、好ましい実施例において、アンテナユニット２０はＰＣＢタイプのＲＦＩＤアンテナである。
【００２５】
さらに、フレーム部１１から外側に延伸しているハンドル部１２は、プラスチックからなり、ハンドル部１２の内部にも金属部品は用いられていない。これにより、アンテナユニット２０は、電子タグ２００がハンドル部の前方または後方のいずれに配置されていても感知することができる。
【００２６】
上述の構成によれば、携帯型電子装置１００は、電子タグ２００に格納される情報を読み込むことができる。
【００２７】
そして、アンテナユニット２０がハンドル穴１３を囲むようにハンドル部１２に設けられているので、ハンドル部１２のあいている空間を利用することができ、アンテナユニット２０の大きさはフレーム部１１に制限されない。その結果、アンテナユニット２０が感知できる距離を延ばすために、アンテナコイル２３の長さを延長することができる。出願人が行った実験によると、この実施例によるアンテナユニット２０が感知できる距離は６〜８ｃｍに達し、従来技術の２〜４ｃｍの距離より長くなった。つまり、本発明による携帯型電子装置１００は、より便利に使用できるように、アンテナユニット２０が感知できる距離を延ばし、アンテナユニット２０により反対方向からも電子タグ２００を感知できる。
【産業上の利用可能性】
【００２８】
本発明によれば、アンテナユニット２０が感知できる距離を延ばし、アンテナユニット２０により反対方向からも電子タグ２００を感知することができる携帯型電子装置１００を得ることができる。
【符号の説明】
【００２９】
１      本体
１０    本体ユニット
１００  携帯型電子装置
１１    フレーム部
１２    ハンドル部
１２０  環状壁
１３    ハンドル穴
１４    スクリーン
１５    シール
１７    ハウジング
２      スクリーンカバー
２０    アンテナユニット
２００  電子タグ
２１    基板
２２    楕円形状穴
２３    アンテナコイル
２４    接続ポート
３      ＲＦＩＤアンテナ
４      電子タグ
５      機体
５０１  フレーム
６      スクリーン
７      ＲＦＩＤアンテナ
【図１】
2010160776.tif 000003
【図２】
2010160776.tif 000004
【図３】
2010160776.tif 000005
【図４】
2010160776.tif 000006